(57)【要約】　　　（修正有）【課題】皮膚の保湿効果を上げる微細水滴を生成する時、同時に発生するマイナスイオンを顔の表面に吹き付け浸透させることによって、肌の若返りを図り、顔に真正真気のマイナスイオン療法の手当てをしない時には、室内全体の空気改善の為、４６時中マイナスイオン発生を行う。【解決手段】球形ノズル２を囲うように設けられた球形又は風鈴形状の掩蔽材３の上部にはマイナスイオンを吹きだす複数個の発生孔７を穿ち、下部には水滴の落下を促す開口部６を設け循環水槽９へ戻す構造になっている。循環水層に貯えられた水は循環ポンプ８によって圧力を掛けられ、吸水用パイプ１２を経て前記球形ノズルによって微細水滴とマイナスイオンを発生する。球形ノズルの外側に取り付けられた掩蔽材の上部マイナスイオン発生孔より噴射されたマイナスイオンと微細水滴は直接顔に手当てされるよう設けられた顔面押し当て盤１０によって、顔全体に万遍なく湿潤な空気に掩われる。【選択図】図３
2004041638.tif 000002
【特許請求の範囲】
【請求項１】
2004041638.tif 000015
本人出願（特願２０００−１１４３８３）球形ノズルの外側に微細水滴の発生を促進させる衝突壁をもつ球形状又は風鈴形状などの掩蔽材で囲った、本人出願平成１４年７月５日申請、マイナスイオン発生ノズルの掩蔽材の下部に落下水用開口部を持ち、該掩蔽材の上部にマイナスイオン放出用、任意の数の放出口を設け、マイナスイオン放出口に接して顔面押し当盤、美顔器用
2004041638.tif 000016
【請求項２】
2004041638.tif 000017
環水槽及び循環水槽の水をノズルに送り込む循環ポンプと該循環ポンプに接続するパイプから成る一連の機器と方法で美顔用の皮膚保湿目的と共に美顔機器目的以外でも終日作動させ室内環境の改善の為マイナスイオン発生器として利用できることを可能にした機器で、１ｃｃ当り３０万個以上という大量のマイナスイオンと粒径が０．３μの微細水滴を顔面に吸収させることが可能で美顔手当時以外はマイナスイオン発生器として室内空気の浄化と二つを兼用できることを目的に
2004041638.tif 000018
【発明の詳細な説明】
【発明の属する技術分野】
2004041638.tif 000003
に再現することにより人体が欲する、リラクゼーション効果及び皮膚表面が乾燥することによって促進される皮膚の老化を防止し、微細水滴の更なる極微細化された水滴（０．３μ以下）を多量に発生させ清浄な空気を作り、真に人々に若さと健康を持続し健康管理に役立てることが出来る
2004041638.tif 000004
【従来の技術】
【０００１】
微細水滴によるマイナスイオン発生器は真気発生器などの名称で販売されており、日本国内では数社程度で、従来の方法では沢山のノズルが必要であり、粗い水滴と微細水滴の混合水滴発生筒及び固液分離筒の２筒からなり、大掛りな装置であるに拘らず大量のマイナスイオン発生をすることはできなかった。
【０００２】
現在安価に売られている高電圧放電の電気集塵型マイナスイオン発生器は、電気集塵器として塵芥をマイナスの電荷に帯電させ、プラスの電荷を持つ紙や壁等に付着させて塵芥を除去する方法で、マイナスの電荷を掛けた時、周辺の空気はマイナスイオン化されているのだと強引に捻じ曲げた理論が根拠になている。捻じ曲げただけではなく、空気を高電圧で酸化処理するため、ＮＯｘやＯ３或はＯマイナスという活性酸素まで生成するので人体に有害な物質を呼吸させられ、尚高電圧による弊害の電磁波や静電気等プラスイオンの増大も懸念されている。
【０００３】
又水滴発生による美顔器も過去にあり、多くの女性が購入して、顔中濡らしても大して効果がなかったという、効果がない商品の代名詞になった位有名な話になっている。粗い水滴を皮膚に浸したのでは、風呂に浸っている程度の効果しかないことが分かっている。
【発明が解決しようとする課題】
【０００４】
本発明は上記のような、似て非なる高電圧によるマイナスイオン発生装置とか、本格的なレナード方式のマイナスイオン発生器では複雑な機構と、装置が大きくなり、価格も高額と良い所がない上マイナスイオンの発生量が微量でＣＣ当り／１個１円以下等というコストパフォーマンスには程遠い商品のみであった。日々悪化している環境の中で、人々が呼吸する空気の質だけが唯一つ選ぶことのできない最後の環境問題といわれている。この地球最後の環境問題、即ち汚れた空気は吸いたくないという人々の願望を解決する質の高い微細水滴を含む清浄空気の生成を可能
2004041638.tif 000005
【０００５】
本発明は上記のレナード法によるマイナスイオン発生方法において、多くのマイナスイオン発生装置は、水の微細化を図るため、微細水滴発生ノズルと該微細水滴を更に微細化する方法として、圧力空気を利用して、水と空気の衝突効果による微細化を行ったので、圧力空気による風切り音を発生し、その遮音手段を組込む等、装置が大型化すると共に販売価格の高騰を招く結果になり、購買層が一般大衆から一部高額所得層に偏重されることから、普及型のマイナスイオン発生装置が望まれていた。
【問題を解決するための手段】
【０００６】
2004041638.tif 000006
は流体放出先端部において、流体を噴霧するノズルを囲むような掩蔽材を該掩蔽材の下に開口部を持つ球形状又は風鈴形状等の任意の大きさの掩蔽材の内側真横に流体放出ノズルの噴出孔が当るように組み合わされた二重構造のマイナスイオン発生ノズルを基本にして、球形状又は風鈴状の掩蔽材の上部に１ヶ又は複数個の穴を明けマイナスイオン発生孔とし、この孔に接して美顔の基になる微細水滴を浴びる半球形又は楕円半球形に近い皿状の顔面押し当て盤を取付けたことを特徴とするマイナスイオン美顔機器及び方法を提供する。
【０００７】
本発明は本人出願（特願２０００−１１４３８３）球形又は楕円球形噴射ノズルの発明が基で研究を重ねる内に更なる発明が生まれたのであるが、本発明は流体噴射ノズルに拘泥せず、従来技術のノズルにも応用できるものである即ち、ノズル本体の外側に球形又は風鈴のような形の掩蔽材との二重構造のノズルとノズルに接する顔面押し当て盤によって形成されるが、美顔保湿効果の手当てをする時とそれ以外の時間でも常に作動させれば、室内の空気を浄化するマイナスイオン発生機器として使用できることを特徴としている。
【０００８】
さらに本発明は水を噴出させるための動力にポンプのみを使用し、使用した水は循環水槽に還元し、再利用する為、１〜２Ｌ程度の循環水槽があれば１日（１０時間〜２０時間）は充分使用出来る。汚れた水は毎日交換し、水が疲労してくるとマイナスイオンの発生量も少なくなる、従って
2004041638.tif 000007
る。
【発明の実施の形態】
【０００９】
2004041638.tif 000008
参照して説明する。
2004041638.tif 000009
ための球形ノズル（２）と該ノズルを掩うように設けられた球形又は風鈴状等の掩蔽材（３）からなり、流体導入パイプ（４）から導入された水は球形ノズル（１）の噴出口（５）から噴出し掩蔽材（３）の内壁に勢いよく衝突し、微細水滴と共にマイナスイオンを生成する。
【００１０】
微細水滴と共にマイナスイオンを生成し、掩蔽材上部に複数個明けられたマイナスイオン発生孔（７）よりマイナスイオンを発生し、掩蔽材上部に半球形又は楕円球形の顔面押し当て盤（１０）が取付けられており、顔の表面を当てることによって、０．３μの微細水滴が顔の皮膚から吸収され、顔表面の皮膚を湿潤な状態に保つことが出来る。噴出口（５）から噴霧された水は掩蔽材下部に穿った開口部（６）から落下し排出される。図１では本人出願（特願２０００−１１４３８３）の球形ノズル（１）を用いて図解したが、必ずしも球形ノズル（１）に拘泥することなく、マイナスイオン発生量は低下するが、市販のノズル（７）でも同様の効果を上げることが出来る。
【００１１】
本発明のマイナスイオン発生用球形ノズル（２）に使用されるノズル及び風鈴状等の掩蔽材（３）は特別な材質を選ばずプラスチックでも、又金属類等の材質でもよく、ノズルの周囲を囲うように掩われた掩蔽材（３）と掩蔽材（３）の上部に接して設けられた顔面押し当て盤（１０）と掩蔽材（３）下部に穿った開口部（６）から落下した水を受ける水槽に予め一定の水位を保つように水（１１）を入れた循環水槽（９）が設けてあり、循環水槽（９）はドーナッツ状を呈して、中心部は吹抜け状になっており、水槽中央部のパイプの内側に流体導入パイプ（４）に連鎖して下に循環ポンプ（８）があり循環水槽（９）の下部に取り付けられた吸水用パイプ（１２）を通じて水を吸引し、循環ポンプ（９）で圧力を上げた水は流体導入パイプ（４）を経て、球形ノズル（２）の噴出口（５）より勢いよく噴出し、多量のマイナスイオンを生成する。マイナスイオンは美顔効果やリラクゼーション或は室内空気の浄化を促進することができる。この手法を採り入れた微細水滴によるマイナスイオン美顔機器と方法を提供する。
【発明の効果】
以上の記述によって明らかなように流体を微細水滴に噴霧するノズルと該微細水滴が壁に衝突する衝突効果が期待できる掩蔽材によってマイナスイオン発生量を飛躍的に向上することを可能にした液体のポンプ噴射のみにより、二重構造のノズルと掩蔽材の上部にマイナスイオン発生孔と下部開口部で水を回収し、上部のマイナスイオン発生孔に接して顔面押し当て盤を取付けた
2004041638.tif 000010
ン美顔機器及び方法を提供する。
【図面の簡単な説明】
【図１】2004041638.tif 000011
面概略図である。
【図２】2004041638.tif 000012
面該略図である。
【図３】2004041638.tif 000013
【符号の説明】
2004041638.tif 000014
２．球形ノズル
３．掩蔽材
４．流体導入パイプ
５．噴出口
６．開口部
７．マイナスイオン発生孔
８．循環ポンプ
９．循環水槽
１０．顔面押し当て盤
１１．水
１２．吸水用パイプ
【図１】
2004041638.tif 000019
【図２】
2004041638.tif 000020
【図３】
2004041638.tif 000021